(57)【要約】【課題】リンパ浮腫を効果的に治療でき、だれもが装着し易いサポーターを提供する。【解決手段】  サポーターを、足首から大腿部までを覆う、全体に伸縮性ある布帛からなるもので、ベルベット式ファアスナーで脚にかかる圧を加減して装着できるようにした。例えば、踵部から大腿部まで脚の内外側面をそれぞれ覆う二枚の布帛を、脚の後側中央で、実質的に脚の曲線に適合するように逢着してなる平面状のものとした。これら二枚の布帛は伸縮性素材からなるものとし、第一布帛１及び第二布帛２のいずれにも、前側膝部に凹部５を設け、かつ膝部の上方及び下方をいずれも、サポーターを脚に装着した時に前面で相互に重なり合うように幅広に形成し、第一布帛１の前方部表面に起毛布３を一面に取付け、第二布帛２の前方部裏面にベルベット式ファスナー４を取付けて、起毛布３にベルベット式ファスナー４を係止することにより、膝頭を見せて足首から大腿部まで、適度の圧迫強度で覆うことができるようにした。足首部分に横方向に伸縮性あるテープ７を取付け、踵部に開口部６を設けるのが好ましい。【選択図】  図１
2005232664.tif 000002
【特許請求の範囲】
【請求項１】
足首から大腿部までを覆う、全体に伸縮性ある布帛からなるサポーターであって、ベルベット式ファアスナーで脚にかかる圧を加減して装着できるようになっていることを特徴とするリンパ浮腫治療用脚サポーター。
【請求項２】
踵部から大腿部まで脚の内外側面をそれぞれ覆う二枚の布帛を、脚の後側中央で、実質的に脚の曲線に適合するように逢着してなる平面状のサポーターであり、前記布帛が伸縮性素材からなること、第一布帛及び第二布帛のいずれにも、前側膝部に凹部が設けられており、かつ膝部の上方及び下方がいずれも、サポーターを脚に装着した時に前面で相互に重なり合うように幅広に形成されており、第一布帛の前方部表面に起毛布が一面に取付けられており、第二布帛の前方部裏面にベルベット式ファスナーが取付けられていて、前記起毛布に前記ベルベット式ファスナーを係止することにより、膝頭を見せた状態で、足首から大腿部を覆って装着することができる請求項１のサポーター。
【請求項３】
足首部分に横方向に伸縮性あるテープが装着されており、かつ踵部が開口しており、踵を該開口部に入れ、下端部の布帛を足背で係止できるようになっている請求項２のサポーター。
【請求項４】
踵部と膝部に開口を設け、下端部から上端部まで脚の形状に適合する筒状本体で、その前方部表面に、起毛布が取付けられたものと、先端部にベルベット式ファスナーを装着した平面状の被覆体を有するものであり、前記被覆体が踵部から大腿部までの長さを有し、その後端部が前記筒状本体の実質的に背中心に装着されており、かつ前記起毛布に前記ベルベット式ファスナーを係止することにより、膝頭を見せた状態で、足首から大腿部を覆って装着することができるようになっている請求項１のサポーター。
【請求項５】
前記筒状本体の上方にベルトが取付けられており、該ベルトにより、ウエスト部分に固定して装着可能となっている請求項４のサポーター。
【請求項６】
ガードルの少なくとも片方の脚部に、足首から大腿部まで伸びる筒状本体が取付けられており、該筒状本体の膝部には開口が設けられており、かつ該筒状本体の前方部表面に起毛布が取付けられており、該筒状体の実質的に背中心には、先端部にベルベット式ファスナーを装着した平面状の被覆体で、足首から大腿部までの長さを有するものが装着されており、前記起毛布に前記ベルベット式ファスナーを係止することにより、膝頭を見せた状態で、足首から大腿部の外側を前記被覆体で覆って装着することができるようになっている請求項２のサポーター。
【請求項７】
前記筒状本体が、伸縮性のある薄地布帛からなるものであり、少なく脚の外側の一部を除いて、前記布帛の表面に、伸縮性起毛布が存在する二重構造に形成されている請求項４〜６いずれか１項のサポーター。
【発明の詳細な説明】
【技術分野】
【０００１】
本発明は、リンパ浮腫治療用のサポーターに関するものである。
【背景技術】
【０００２】
リンパ浮腫は乳ガンや子宮ガンの手術後などに見られる事が多い。主に片側だけの腕や脚のむくみで、痛みがなくそのまま放置したり、また主治医も余り積極的に対応しない事が多く、リンパ浮腫に関しては一般に極めて情報が少ない。そのため、リンパ浮腫に効果ある薬は殆どなく、治療法としては、リンパ液の流れをよくするために、マッサージを行い、弾力ストッキングスリーブ、弾性包帯などを着用するといった保治療が主体である。
【０００３】
治療用の弾性ストッキングは、特許文献１，２にも開示されるが、筒状のストッキングを大きく浮腫んだ脚に着脱することは難しく、特に圧迫クラスが２以上のスリーブストッキングをきちんと着用することは健常者でも困難であり、多くの人はこのストッキングの着用がし難いため、浮腫治療を断念しているのが現状である。
【０００４】
そこで、サポーターの着用が考えられる、従来のサポーターは、特許文献３のような膝関節用サポーターや特許文献４のようなふくらはぎ用サポーターが存在するだけであり、リンパ浮腫の治療に有効なものではなかった。
【特許文献１】特表２０００−５１２１７６号公報
【特許文献２】特表２００２−５１９１４１号公報
【特許文献３】特開２００２−６５７１１号公報
【特許文献４】特開２００１−２４５９１９号公報
【発明の開示】
【発明が解決しようとする課題】
【０００５】
本発明は、リンパ浮腫を、効果的に治療でき、だれもが装着し易いサポーターを提供することを課題とする。
【課題を解決するための手段】
【０００６】
本発明者は、リンパの流れや圧迫などのデータを基にして圧迫強度（気圧ＨＰＡ）の差を計算し、人間工学に基づく立体設計で、脚に着脱し易く、しかも圧迫感の調整が容易であるリンパ浮腫治療用サポーターの提供を可能とした。
【０００７】
本発明では、サポーターを、足首から大腿部までを覆う、全体に伸縮性ある布帛からなるものとし、しかもベルベット式ファアスナーで脚にかかる圧を加減して装着できるようにすることにより、上記課題を解決した。
【０００８】
第１例は、踵部から大腿部まで脚の内外側面をそれぞれ覆う二枚の布帛を、脚の後側中央で、実質的に脚の曲線に適合するように逢着してなる平面状のものであって、これら二枚の布帛が伸縮性素材（弾性繊維からなるストレッチ素材）からなること、第一布帛及び第二布帛のいずれにも、前側膝部に凹部が設けられており、かつ膝部の上方及び下方がいずれも、サポーターを脚に装着した時に前面で相互に重なり合うように幅広に形成されており、第一布帛の前方部表面に起毛布が一面に取付けられており、第二布帛の前方部裏面にベルベット式ファスナーが取付けられていて、前記起毛布に前記ベルベット式ファスナーを係止することにより、膝頭部を見せた状態で、足首から大腿部を全体に覆って装着することができるものである。
【０００９】
このサポーターは、更に、足首部分に横方向に伸縮性あるテープを装着し、踵部を開口させ、踵を該開口部に入れ、下端部の布帛を足背で係止できるようにするのがよい。その結果、踵と膝頭を表に出した状態で、非常に安定して、サポーターを装着することが可能となる。
【００１０】
この例では、足裏で下端部を踏んだ状態で、足背に第一布帛の下端部を重ね、その上から第二布帛を重ねて起毛布にベルベット式ファスナーを係止して、下端を固定し、足首から膝にかけても同様、下肢に沿わせた第一布帛上に第二布帛を適度の張力を与えながら、重ね合わせて、起毛布にベルベット式ファスナーで固定し、第一布帛と第二布帛の凹部に膝頭が位置するようにし、上肢にも、同様に第一布帛と第二布帛を重ね合わせて固定することにより、膝頭を出した状態で、足首から大腿部まで、完全に伸縮性布帛で覆うように装着できるのである。
【００１１】
踵部に開口部を設けた場合には、踵を開口部から出した状態でサポーターを装着できるので、踵と膝を露出した状態で、即ち踵部と膝部の開口で、サポーターを所定位置に確実に保持した状態で安定して装着でき、しかもサポーターを装着した状態での運動が容易になる。
【００１２】
なお、第二布帛裏面におけるベルベット式ファスナーは、その外周辺に沿って適度の間隔（例えば、５〜１３ｃｍ程度の間隔）で取付けるのが好ましく、更にサポーターのより確実な固定のためには、第二布帛の中央部、第一布帛と第二布帛の逢着線に実質的に平行となるような位置にも取付けるのが好ましい。また、ベルベット式ファスナーの大きさは特に限定されないが、例えば１〜３ｃｍ径の円形や、1〜２ｃｍ×２．５〜６ｃｍ程度の長方形や楕円形などで使用されればよい。なお、ベルベット式ファスナーは、カギ状フックを有するものが好ましい。
【００１３】
第一布帛表面に取付ける起毛布は、ベルベット式ファスナーと係止するものであればよく、症状に応じて、脚を覆う面積を調整でき、しかも、脚に負担を掛けないものであればよく、ループ状起毛を有するツーウエイ式起毛布であるのが好ましい。
【００１４】
また、足首や下端部及び上端部には横方向に伸縮性あるテープ（弾性テープ）を装着するのが好ましい。
【００１５】
かかるサポーターは、装着する脚に合わせて設計されるのが好ましく、左脚、右脚と別々に製造されるのがよい。この際、第一布帛と第二布帛が内外いずれになってもよいが、通常、起毛布を表面に有する第一布帛が外側に位置するようにするのが、装着し易く好ましい。
【００１６】
本発明の第２例は、踵部と膝部に開口を設け、下端部から上端部まで脚の形状に適合する筒状本体と、先端部にベルベット式ファスナーを装着した平面状の被覆体を有するものがある。この例では、前記被覆体が踵部から大腿部までの長さを有し、その後端部が前記筒状本体の実質的に背中心に装着されており、かつ脚の内側側面を覆う幅を有するように設計される。
【００１７】
この例では、伸縮性ある筒状本体を有するものとすることによって、患者が一人で装着し易いサポーターとなすことができ、しかも、サポーター装着時の圧は、被覆体のベルベット式ファスナーの係止位置により、任意に加減できるので、無理なく、サポーター装着の効果を達成できるのである。
【００１８】
また、筒状本体の上方にベルトを取付け、該ベルトにより、筒状本体をウエスト部分に固定して装着可能とすることにより、サポーターは踵部と膝部の開口とこのベルトにより、確実に安定した装着が可能となり、サポーターがずれたり、脚に過度の負担を掛けることなく、サポーターを装着した状態での生活がし易くなる。なお、かかるベルトは、先に示した平面状のサポーターにも取付け可能である。
【００１９】
本発明の第３例は、ガードルと一体化して、より装着し易くしたものである。この例では、ガードルの少なくとも片方の脚部に、足首から大腿部まで伸びる筒状本体が取付けられており、該筒状本体の膝部には開口が設けられており、かつ該筒状本体の前方部表面に起毛布が取付けられており、該筒状体の実質的に背中心には、先端部にベルベット式ファスナーを装着した平面状の被覆体で、足首から大腿部までの長さを有するものが装着されており、前記起毛布に前記ベルベット式ファスナーを係止することにより、膝頭を見せた状態で、足首から大腿部の外側を前記被覆体で覆って装着することができるようになっている。
【００２０】
なお、第２例及び第３例では、筒状本体を、伸縮性（ストレッチ性）ある薄地布帛、例えばサテン地やネット地などとするのが好ましく、特に吸汗性があり、肌当たりのよい伸縮性あるすべりの良い素材からなるものとし、少なくとも脚の外側に接する面一部を除いて、前記布帛の表面に、伸縮性起毛布が存在する二重構造とするのが好ましく、この場合、適度の圧迫感をもって、任意に、被覆体のベルベット式ファスナーによる係止が可能となる。
【発明の効果】
【００２１】
リンパ液は、足首まで降り、血管外組織にある不要物質を取り込み排除するものであるが、流れが悪くなり、その排除が滞ると脚にむくみが生ずる。従って、脚全体を適度に圧迫して、リンパ液が心臓方向に順調に流れるようにする必要があるが、本発明のサポーターは、足首から大腿部まで、全体に適度に圧迫して確実に装着出来るため、非常に効率よく、リンパ液の流れを確保し、リンパ浮腫の治療を可能とする。
しかも、本発明のサポーターは、足首から大腿部までを覆う、全体に伸縮性ある布帛からなるものであり、ベルベット式ファアスナーで脚にかかる圧を加減して装着できるため、患者自らが、その症状に合わせて、圧迫の程度を加減して、安定して装着できる利点もある。更に、本発明のサポーターは、踵部と膝部の開口、又はガードルなどで安定して、定位置に固定できるため、非常に装着性に優れるものとなる。
【発明を実施するための最良の形態】
【００２２】
次に本発明を図面に示す実施例に従って更に詳しく説明する。
図１のサポーターは、大人の右足用のものであり、長さ約７７ｃｍ、上端の幅約７０ｃｍ、下端の幅約２３ｃｍで、縦横共に伸縮性ある弾性ニット地（表面の滑らかなストレッチサテンで裏面には肌に優しい綿使いの弾性繊維を使用した、着用感と吸汗性に優れた素材からなる布帛）を、患者の脚に合わせて、踵部から大腿部まで脚の内外側面をそれぞれ覆うように二枚裁断し、脚の後側中央で、実質的に脚の曲線に適合するように逢着したものである（図２参照）。
【００２３】
第一布帛１及び第二布帛２のいずれにも、前側膝部に凹部５が設けられており、かつ膝部の上方及び下方がいずれも、サポーターを脚に装着した時に前面で相互に重なり合うように幅広に形成されており、第一布帛１の前方部表面に起毛布３が一面に取付けられており、第二布帛２の前方部裏面にベルベット式ファスナー４が取付けられていて、起毛布３にベルベット式ファスナー４を係止することにより、膝頭を見せた状態で、足首から大腿部を覆って、脚全体に適度の圧を加えながら、装着できるようになっている（図３参照）。
【００２４】
起毛布３は、ストレッチ性フレンチ起毛布を使用し、第一布帛１の前端部から中央部にかけて全面を覆うように取付けられているが、その後端部は、第一布帛１と第二布帛２の逢着線８から、下端部では約３ｃｍ、上端部では約９ｃｍの間隔をもって存在するように設けられている。
【００２５】
ベルベット式ファスナー４は、第二布帛２の裏面の前端部に８個、中央部に４個取付けられており、前端部の上端と、足首部のベルベット式ファスナー４は、横長形状（２ｃｍ×６ｃｍ）、下端部は縦長形状（６ｃｍ×２ｃｍ）で、その他は直径約２．５ｃｍの円形とした。
【００２６】
なお、足首部には横方向に伸縮性あるテープ７−ゴム弾性あるベルト−を取付け、かつ上端部と下端部にも同様のテープ７を装着することにより、サポーターがずれることなく、安定して装着できるようになっている。
【００２７】
また、この例では、踵部に開口部６が設けられており、この開口部６から踵を出した状態で、サポーターを装着できるようになっている。
【００２８】
このサポーターは図３のように装着されるものであるが、テープ７により足首部にフィットさせ、しかも膝頭と踵を露出した状態で、安定して装着できる
【００２９】
本発明のサポーターは平面状をなすものであり、脚に巻いて使用できるため、脚の腫れの状態に合わせて、適度の圧迫強度で、容易に脚全体に装着できるので、患部に不当な負担を掛けることなく、患者自らが装着することも可能である。
【００３０】
更に、このサポーターは、足首から大腿部まで、適度の圧迫強度でもって、完全に覆うことができるため、リンパ液の流れがよくなり、患者に特別な負担を掛けることなく、リンパ浮腫の治療を速やかに実施可能とする。
【００３１】
次に、図４の例は、左足用のサポーターで、伸縮性の綿サテン地からなる脚の形状に沿った筒状本体９を使用するものであり、この筒状本体９には、踵と膝の位置にそれぞれ開口部６及び６ａが設けられている。また、筒状本体９の脚の外側に接する面の一部は綿サテン地１１の単一層からなるが、その他の部分は、綿サテン地の表面に伸縮性起毛布１２を重ねた二重層となっており、筒状本体９の背中心部に取付けられた被覆体１０の先端部ををベルベット式ファスナー４で係止可能となっている。
【００３２】
被覆体１０はやはり伸縮性ある布帛からなるものであり、その先端部裏面にベルベット式ファスナー４が取付けられており、また、膝部では筒状本体９の膝の開口部６ａを覆わないように、凹部１３が設けられている。
【００３３】
更に、この例では、筒状本体９の上方にベルト１４が取付けられており、筒状本体９に脚を通してサポーターを装着した後、このベルト１４で、筒状本体９をウエスト部分に固定し可能となっている。
【００３４】
このサポーターは、筒状本体９に足を通して、踵と膝を開口部６及び６ａに適合させた後、ベルト１４で上方をウエスト部に固定し、その後、被覆体１０で、脚の内側面を覆い、脚に適度の圧迫感を与える状態で、ベルベット式ファスナー４を筒状本体９の表面に係止して装着するものである（図５参照）。
【００３５】
この例では、足を筒状本体９に挿入して容易に装着でき、しかも、装着後、被覆体１０により、足に掛かる圧を調整できるため、サポーターの着脱が一人で容易に実施できる。また、開口部６及び６ａの存在によって、踵、膝を露出した状態で装着できるため、サポーターの装着によって、足の運動が妨げられることなく、また、長いサポーターを安定して定位置に固定できることとなる。更に、この例では、ベルト１４が存在するため、筒状本体９すなわちサポーターの上端部をウエスト部分に固定することもでできるので、サポーターを装着して、どのように身体を動かしても、サポーターがずり落ちたり、曲がったりすることなく、常に安定した状態で、その効果を得ることができる。
【００３６】
更に、図６の例は、ガードル１５に一体化したサポーターである。この例では、ガードル１５の右の脚部に、足首から大腿部まで伸びる筒状本体９が取付けられており、該筒状本体９の膝部には開口６ａが設けられており、かつ該筒状本体９の前方部表面に起毛布１２が取付けられており、該筒状本体９の実質的に背中心には、先端部にベルベット式ファスナー４を装着した平面状の被覆体１０で、足首から大腿部までの長さを有するものが装着されており、前記起毛布１２に前記ベルベット式ファスナー４を係止することにより、膝頭を見せた状態で、足首から大腿部の外側を前記被覆体で覆って装着できるようになっている。
【００３７】
このサポーターは、ガードル１５でしっかりと腰に固定して装着できるものであり、しかも筒状本体９は伸縮性あるサテン地などとすることにより、容易に脚を通して装着でき、その後、患者自らが、足首から大腿部までを覆う被覆体１０を、ベルベット式ファアスナーによって、症状に合わせて、圧迫の程度を加減して、安定して装着できる。
【図面の簡単な説明】
【００３８】
【図１】本発明の製品の一例を示す平面図である。
【図２】図１の製品を背中心に半分に折畳んだ状態を示すもので、（Ａ）は第一布帛が表面に位置し、（Ｂ）は第二布帛が表面に位置する平面図である。
【図３】図１の製品の使用状態を示すもので、（Ａ）は正面図、（Ｂ）は側面図である。
【図４】本発明の製品の一例で被覆体を開いた状態を示すものであって、（Ａ）は左側面図、（Ｂ）は右側面図である。
【図５】図４の例で被覆体を閉じた状態を示すものであって、（Ａ）は左側面図、（Ｂ）は右側面図である。
【図６】本発明の製品の一例を示すものであって、（Ａ）（Ｂ）（Ｃ）はぞれぞれ、ベルベット式ファスナーを係止した状態の背面図、右側面図、正面図であり、（Ｄ）はベルベット式ファスナーを係止していない状態の左側面図である。
【符号の説明】
【００３９】
１    第一布帛
２    第二布帛
３    起毛布
４    ベルベット式ファスナー
５    凹部
６    開口部
７    テープ
８    逢着線
９    筒状本体
１０  被覆体
１１  綿サテン地
１２  起毛布
１３  凹部
１４  ベルト
１５  ガードル
【図１】
2005232664.tif 000003
【図２】
2005232664.tif 000004
【図３】
2005232664.tif 000005
【図４】
2005232664.tif 000006
【図５】
2005232664.tif 000007
【図６】
2005232664.tif 000008